【手続補正書】
【提出日】平成26年7月8日(2014.7.8)
【手続補正１】
【補正対象書類名】特許請求の範囲
【補正対象項目名】請求項１
【補正方法】変更
【補正の内容】
【請求項１】
湯と水の混合比を調整することで吐水温度を変更する湯水混合手段と、
この湯水混合手段による吐水温度を設定するために回転操作される温度調節ハンドルと、
この温度調節ハンドルの半径方向に移動可能であって、付勢手段によって外周から突出する方向に付勢された安全ボタンと、
前記温度調節ハンドルの取付面に設けられ、前記温度調節ハンドルが低温設定側から高温設定側へと回転操作される途中で、前記付勢手段によって突出した状態の前記安全ボタンの一部と当接して回転を規制する回転規制壁と、
を備えた湯水混合水栓において、
前記温度調節ハンドルの取付面には、前記安全ボタンの一部が前記回転規制壁に当接している状態から前記温度調節ハンドルを低温設定側に回転すると、前記安全ボタンを前記付勢手段の付勢力に抗して前記温度調節ハンドル内に収納する方向に移動させる突出量規制壁が形成されていることを特徴とする湯水混合水栓。
【手続補正２】
【補正対象書類名】明細書
【補正対象項目名】０００６
【補正方法】変更
【補正の内容】
【０００６】
上記目的を達成するために請求項１記載の発明によれば、湯と水の混合比を調整することで吐水温度を変更する湯水混合手段と、この湯水混合手段による吐水温度を設定するために回転操作される温度調節ハンドルと、この温度調節ハンドルの半径方向に移動可能であって、付勢手段によって外周から突出する方向に付勢された安全ボタンと、前記温度調節ハンドルの取付面に設けられ、前記温度調節ハンドルが低温設定側から高温設定側へと回転操作される途中で、前記付勢手段によって突出した状態の前記安全ボタンの一部と当接して回転を規制する回転規制壁と、を備えた湯水混合水栓において、前記温度調節ハンドルの取付面には、前記安全ボタンの一部が前記回転規制壁に当接している状態から前記温度調節ハンドルを低温設定側に回転すると、前記安全ボタンを前記付勢手段の付勢力に抗して前記温度調節ハンドル内に収納する方向に移動させる突出量規制壁が形成されていることを特徴とする。
【手続補正３】
【補正対象書類名】明細書
【補正対象項目名】０００７
【補正方法】変更
【補正の内容】
【０００７】
従って、温度調節ハンドルの高温設定側への回転規制を行う必要が無い回転領域では、安全ボタンの温度調節ハンドルから突出量を小さくすることで、誤って安全ボタンを押し込んで高温設定領域まで回転されることがなく、意図せずに高温吐水されてしまうことを防止できる。また、温度調節ハンドルから安全ボタンが大きく突出する回転範囲が減ることで、温度調節ハンドルの意匠性や清掃性を向上させることができる。
【手続補正４】
【補正対象書類名】明細書
【補正対象項目名】０００８
【補正方法】変更
【補正の内容】
【０００８】
また、請求項２記載の発明によれば、前記湯水混合水栓は、前記温度調節ハンドルの周面の一部を覆い、一部を露出するカバーを備えており、前記安全ボタンは、前記突出量規制壁によって前記温度調節ハンドル内に収納する方向に移動している間は前記カバーに覆われ、前記突出量規制壁による規制を外れて突出して前記回転規制壁に当接するまでの間は前記カバーより露出することを特徴とする。これにより、温度調節ハンドルの高温設定側への回転規制を行う必要が無い回転領域では、安全ボタンがカバーによって覆われるので、使用者は安全ボタンに触ることができなくなり、より確実に誤って安全ボタンを押し込んで高温設定領域まで回転されることを防止できる。また、温度調節ハンドルの天面をカバーから突出させる必要がないので、意匠性に優れた湯水混合水栓を提供することが可能となる。
【手続補正５】
【補正対象書類名】明細書
【補正対象項目名】０００９
【補正方法】変更
【補正の内容】
【０００９】
本発明によれば、温度調節ハンドルの高温設定側への回転規制を行う必要が無い回転領域では、安全ボタンの温度調節ハンドルから突出量を小さくすることで、誤って安全ボタンを押し込んで高温設定領域まで回転されることがなく、意図せずに高温吐水されてしまうことを防止できる。また、温度調節ハンドルから安全ボタンが大きく突出する回転範囲が減ることで、温度調節ハンドルの意匠性や清掃性を向上させることができるという効果がある。
【手続補正６】
【補正対象書類名】明細書
【補正対象項目名】００１０
【補正方法】変更
【補正の内容】
【００１０】
【図１】本発明の湯水混合水栓の正面図である。
【図２】本発明の湯水混合水栓の右側面図である。
【図３】本発明の湯水混合水栓の斜視図である。
【図４】本発明の湯水混合水栓の分解斜視図である。
【図５】押し釦ユニットの詳細を示す図である。
【図６】温度調節ハンドルによって操作される温度調節弁の断面図である。
【図７】図６の温度調節弁の分解斜視図である。
【図８】温度調節ハンドルの断面図である。
【図９】回転規制部の断面図である。
【手続補正７】
【補正対象書類名】明細書
【補正対象項目名】００１６
【補正方法】変更
【補正の内容】
【００１６】
ここで、カラン用押し釦１１ａおよびシャワー用押し釦１１ｂは上カバー上面１４ａと略同一面に第一操作面１１ｅ、１１ｆが設けられているとともに、上カバー前面１４ｂと略同一面に第二操作面１１ｇ、１１ｈが配されている。そのため使用者は、湯水混合水栓１の上面側に設けられた第一操作面１１ｅ、１１ｆおよび前面側に設けられた第二操作面１１ｇ、１１ｈのどちらでも操作できるため、風呂イスなどに腰かけた状態でも、またシャワー浴や浴槽の掃除の際などの立ち上がった状態でも容易に操作できるよう構成されている。
【手続補正８】
【補正対象書類名】明細書
【補正対象項目名】００１９
【補正方法】変更
【補正の内容】
【００１９】
温度調節ハンドル１２の前面１２ａは上カバー前面１４ｂと略同一面となるよう構成されるとともに、温度調節ハンドル１２の周面の一部は上カバー１４により覆われている。  また、温度調節ハンドル１２の前面１２ａには、温度調節ハンドル１２の操作を容易にするための操作レバー２１が湯水混合水栓１の前面に突出するように設けられている。
【手続補正９】
【補正対象書類名】明細書
【補正対象項目名】００２０
【補正方法】変更
【補正の内容】
【００２０】
図８は温度調節ハンドル１２の断面図である。この温度調節ハンドル１２の内周面には温度調節ハンドル１２の回転を規制する安全ボタン２２が温度調節ハンドル１２の取付孔２３を通じて半径方向に移動可能なように取付けられている。より詳細に説明すると、安全ボタン２２は、水栓本体１０側と係合することで、温度調節ハンドル１２の回転を規制するストッパー２６と、ストッパー２６を温度調整ハンドル１２の外径方向に付勢する付勢手段としての付勢バネ２７とを介して、固定ビス２８により温度調節ハンドル１２に取付けられている。また、温度調節弁１８側には、温度調節ハンドル１２の回転規制部２９がナット３０により水栓本体１０に固定されている。
【手続補正１０】
【補正対象書類名】明細書
【補正対象項目名】００２１
【補正方法】変更
【補正の内容】
【００２１】
図９は、回転規制部２９の断面図である。この回転規制部２９には、低温設定側から高温設定側へと回転操作される途中において、付勢バネ２７により温度調節ハンドル１２の外径方向に押しつけられたストッパー２６と当接して温度調節ハンドル１２の回転を規制する回転規制壁２５と、ストッパー２６が回転規制壁２５に当接した状態から温度調節ハンドル１２を低温設定側に回転させた際に安全ボタン２２の付勢バネ２７の付勢力に抗して使用者が安全ボタン２２を操作することなく温度調節ハンドル１２内に徐々に収納する方向に移動させる突出量規制壁３１が形成されている。
【手続補正１１】
【補正対象書類名】明細書
【補正対象項目名】００２２
【補正方法】変更
【補正の内容】
【００２２】
具体的に温度調節ハンドル１２を操作した時の動作について説明する。図９において安全ボタン２２がＡの位置（低温設定側）から、安全ボタン２２がＢの位置（適温設定側）となるように温度調節ハンドル１２を回転操作した場合においては、安全ボタン２２は突出量規制壁３１に沿って温度調節ハンドル１２の外周部へ突出する。そして、更に温度調節ハンドル１２を回転させて安全ボタン２２がＣの位置となると、ストッパー２６と回転規制壁２５が当接することで、温度調節ハンドル１２の回転は規制されて一気に高温設定側へ回転して意図せずに高温吐水される危険を回避することができる。
【手続補正１２】
【補正対象書類名】明細書
【補正対象項目名】００２４
【補正方法】変更
【補正の内容】
【００２４】
そして、安全ボタン２２がＣの位置にある適温設定側から更に温度調節ハンドル１２を回転させて安全ボタン２２がＡの位置となる低温設定側まで回転させる際には、突出量規制壁３１の傾斜に沿って滑らかにストッパー２６が移動する。このため、高温設定側から低温設定側へ回転操作する場合においては、回転規制部２９に設けられた突出量規制壁３１により付勢バネ２７の付勢力に抗して温度調節ハンドル１２内側へ収納する方向へ移動させ安全ボタン２２の突出量を小さくすることができる。